(57)【要約】【課題】被加熱物の下面を焦がす必要がないときには、被加熱物に効率よく高周波を照射することができるようにすることを目的とする。【解決手段】エラストマーで構成される基材に、高周波を吸収して発熱し被加熱物を加熱する高周波発熱材を混練して、被加熱物載置皿１６に着脱自在に載置できる波板状に形成するとともに、波板状の裏面に複数の脚部３３を設ける。【選択図】図３
2015114061.tif 000002
【特許請求の範囲】
【請求項１】
エラストマーで構成される基材に、高周波を吸収して発熱し被加熱物を加熱する高周波発熱材を混練して、被加熱物載置皿に着脱自在に載置できる波板状に形成するとともに、前記波板状の裏面に複数の脚部を設けたことを特徴とする高周波加熱調理用発熱皿。
【請求項２】
前記脚部は、高周波発熱材を含有しない素材で構成されていることを特徴とする請求項１記載の高周波加熱調理用発熱皿。
【請求項３】
前記脚部は、クロス板状に形成されていることを特徴とする請求項１又は２記載の高周波加熱調理用発熱皿。
【請求項４】
前記波板状の谷部には、複数の穴が形成されていることを特徴とする請求項１〜３のいずれかに記載の高周波加熱調理用発熱皿。
【請求項５】
前記波板状の裏面には、波形状に交差する方向のリブが設けられていることを特徴とする請求項１〜４のいずれかに記載の高周波加熱調理用発熱皿。
【請求項６】
エラストマーの材料として、シリコンゴムまたはフッ素ゴムを用いることを特徴とする請求項１〜５のいずれかに記載の高周波加熱調理用発熱皿。
【請求項７】
食品を収納する加熱室と、
高周波を前記加熱室に供給する高周波発生手段と、
高周波を透過する素材で構成され、前記加熱室に収容された被加熱物載置皿と、
前記被加熱物載置皿に着脱自在に載置され、高周波を吸収して発熱し、被加熱物を加熱する高周波加熱調理用発熱皿と、
前記加熱室に設けられたヒーターと、
前記高周波発生手段および前記ヒーターの動作を制御する制御手段とを有し、
前記高周波発生手段あるいは前記ヒーターの少なくとも１つを動作させ、被加熱物を加熱する焼き工程を行う調理モードを備え、
前記高周波加熱調理用発熱皿として請求項１〜６のいずれかの高周波加熱調理用発熱皿を用いたことを特徴とする高周波加熱調理器。
【請求項８】
高周波を加熱室内に照射する高周波出口を、前記加熱室の底面に配置したことを特徴とする請求項７に記載の高周波加熱調理器。
【発明の詳細な説明】
【技術分野】
【０００１】
本発明は、電子レンジなどで使用される高周波により発熱する高周波発熱材を用いて被加熱物の表面に焦げ目を付けることができる高周波加熱調理用発熱皿および高周波加熱調理器に関する。
【背景技術】
【０００２】
従来の高周波加熱調理器は、高周波の照射により発熱する発熱体が金属製の載置皿に接着されて一体化されている（例えば、特許文献１参照）。
【先行技術文献】
【特許文献】
【０００３】
【特許文献１】特開２００６−３１７０１９号公報（段落［００２７］、図５、図６）
【発明の概要】
【発明が解決しようとする課題】
【０００４】
特許文献１に記載の高周波加熱調理器は、前記のように高周波の照射により発熱する発熱体が金属製の載置皿と一体化されているため、下面を焦がす必要のない被加熱物の場合であっても、発熱してしまい、焦がしてしまうおそれがあり、調理の幅が狭くなる。
【０００５】
本発明は、前記のような課題を解決するためになされたもので、被加熱物の下面に焦げ目を付けるか否かを選択することができる高周波加熱調理用発熱皿および高周波加熱調理器を提供することを目的とする。
【課題を解決するための手段】
【０００６】
本発明に係る高周波加熱調理用発熱皿は、エラストマーで構成される基材に、高周波を吸収して発熱し被加熱物を加熱する高周波発熱材を混練して、被加熱物載置皿に着脱自在に載置できる波板状に形成するとともに、波板状の裏面に複数の脚部を設けたものである。
【発明の効果】
【０００７】
本発明の高周波加熱調理用発熱皿によれば、エラストマーで構成される基材に、高周波を吸収して発熱し被加熱物を加熱する高周波発熱材を混練して、被加熱物載置皿に着脱自在に載置できる波板状に形成するとともに、波板状の裏面に複数の脚部を設けている。このため、被加熱物の下面を焦がす必要があるときには、高周波加熱調理用発熱皿を被加熱物載置皿に載置し、調理を行う。これによって、高周波加熱調理用発熱皿が高周波を吸収して発熱し、被加熱物を下方から加熱し、被加熱物の下面に焦げ目を付けることができる。
また、被加熱物の下面を焦がす必要がないときには、高周波加熱調理用発熱皿を被加熱物載置皿から外す。これによって、被加熱物に効率よく高周波を照射することができる。
さらに、複数の脚部によって、高周波加熱調理用発熱皿と被加熱物載置皿との間に空隙を設けることができ、これによって被加熱物載置皿への放熱を防ぐことができ、被加熱物を集中して加熱することができる。
【図面の簡単な説明】
【０００８】
【図１】本発明の実施形態に係る高周波加熱調理器の外観を示す斜視図である。
【図２】本発明の実施形態に係る高周波加熱調理器の内部構造を示す正面視の断面図である。
【図３】本発明の実施形態に係る高周波加熱調理用発熱皿と被加熱物載置皿との関係を示す側面視の断面図である。
【図４】本発明の実施形態に係る高周波加熱調理用発熱皿を上面側より見た斜視図である。
【図５】本発明の実施形態に係る高周波加熱調理用発熱皿を下面側より見た斜視図である。
【発明を実施するための形態】
【０００９】
図１は本発明の実施形態に係る高周波加熱調理器の外観を示す斜視図である。
本発明の実施形態に係る高周波加熱調理器は、図１に示すように、本体１の前面が把手２を有する縦開き扉３にて覆われている。縦開き扉３の右側には、制御手段４に接続されている操作部５と表示部６とが配置されている。操作部５には、スタートキー７や取り消しキー８などの各種の操作キーが設けられている。
【００１０】
図２は本発明の実施形態に係る高周波加熱調理器の内部構造を示す正面視の断面図である。
図２に示すように、本体１の内部は、加熱室１２と電気室１３とに画成されている。加熱室１２には、その前面となる前板（図示せず）に被加熱物の出し入れを行う開口部が形成され、この開口部を含む本体１の前面の全域が、前述の縦開き扉３によって開閉されるようになっている。また、加熱室１２には、左右の側壁に、被加熱物載置皿１６を支持するレール２３，２４が設けられているとともに、一方（右側）の側壁に、加熱室１２内の被加熱物の温度を検出する赤外線センサー１７が設置されている。被加熱物載置皿１６は、高周波を透過する素材（例えばセラミック）で構成されている。また、被加熱物載置皿１６上には、高周波加熱調理用発熱皿（以下、単に「発熱皿」という）３０が着脱自在に載置されている。
【００１１】
電気室１３には、高周波発生手段であるマグネトロン１４と、このマグネトロン１４に駆動電力を供給する高圧電力発生手段１５とが配置されている。加熱室１２を加熱する手段として、高周波を用いた高周波加熱手段と、ヒーターを用いた輻射加熱手段が備えられている。
【００１２】
高周波加熱とは、電気室１３に設置したマグネトロン１４より高周波が励起され、導波管１８を伝搬し、加熱室１２下部に配置されたアンテナモーター１９により駆動される回転アンテナ２０を介して加熱室１２内部へ放射し、高周波により被加熱物を加熱する加熱方式を指す。なお、高周波を加熱室１２内に照射する高周波出口は、加熱室１２の底面に配置されており、高周波を透過する素材（例えばセラミック）で構成された仕切り板２６にて覆われている。
【００１３】
輻射加熱とは、加熱室１２の上部や下部に設置されたヒーターにて、加熱室１２内部を高温にし、被加熱物を加熱する加熱方式を指す。ここでは、図２のように上ヒーター（フラットヒーター）２１と下ヒーター（シーズヒーター）２２が配置され、上ヒーター２１の上方に断熱材２５が設置されている。
【００１４】
図３は本発明の実施形態に係る高周波加熱調理用発熱皿と被加熱物載置皿との関係を示す側面視の断面図である。図４は本発明の実施形態に係る高周波加熱調理用発熱皿を上面側より見た斜視図である。図５は本発明の実施形態に係る高周波加熱調理用発熱皿を下面側より見た斜視図である。
発熱皿３０は、シリコンゴムなどのエラストマー（高分子物質）からなる基材に、高周波を吸収して発熱し被加熱物を加熱する高周波発熱材を混練して、図３〜図５に示すように、波板状に形成したものである。
【００１５】
エラストマーの材料としては、耐熱性、調味料や水蒸気などの耐化学薬品性に優れ、機械的衝撃、熱衝撃に強いシリコンゴムやフッ素ゴムを主成分とするものが好適である。
【００１６】
高周波発熱材としては、磁性材料の粒子が用いられる。例えば、電子レンジなどで使用される２．４５ＧＨｚの高周波を吸収して発熱するＭｇ、Ｃｕ、Ｚｎ等で構成される磁性体である。
【００１７】
また、発熱皿３０には、図４および図５に示すように、波板状の谷部３１に複数の穴３２が形成され、加熱調理中に被加熱物から排出された油分を発熱皿３０から穴３２を通して下方の被加熱物載置皿１６に流せるようになっている。
【００１８】
また、発熱皿３０には、図３および図５に示すように、波板状の裏面に、複数の脚部３３が設けられている。これによって、発熱皿３０と被加熱物載置皿１６との間に空隙ｇが形成され、発熱皿３０から被加熱物載置皿１６への放熱を防ぐことができ、被加熱物を集中して加熱することができる。
【００１９】
また、複数の脚部３３は、高周波発熱材を含有しない素材、例えばシリコンゴムやフッ素ゴムで構成されている。これによって、脚部３３は、高周波を吸収して発熱しないので、発熱皿３０に効率よく高周波を当てることができる。従って、発熱皿３０をより効率よく発熱させ、被加熱物を加熱することができ、かつ被加熱物載置皿１６への放熱も防ぐことができる。また、本発明者による実験の結果、脚部３３も高周波発熱体を含有する素材とすると、射出成型時の脚部３３の離型性が悪く、一方、脚部３３のみ高周波発熱体を含有しない素材とすることで、射出成型時の離型性が良好となることも分かった。
【００２０】
また、複数の脚部３３は、それぞれクロス板状に形成されている。これによって、強度を確保しながら、脚部３３の肉厚を減らせる。
【００２１】
また、複数の脚部３３は、マトリックス状に配置され、これらの間が波形状に交差する方向に延びるリブ３４と、波形状に沿う方向に延びるリブ３５とによってつながっている。これによって、脚部３３の強度を更に高めることができるとともに、発熱皿３０全体の強度も高めることができる。
【００２２】
なお、発熱皿３０の周縁部にフランジを設けてもよい。このように発熱皿３０の周縁部にフランジを設けることで、加熱調理中に、発熱皿３０の周縁部から被加熱物載置皿１６の外側へ油が垂れるのを防止することができる。
【００２３】
次に、以上の構成を有する高周波加熱調理器を用い、本発明の発熱皿３０の動作と作用について説明する。本発明の実施形態に係る高周波加熱調理器において、発熱皿３０は、高周波を透過する素材（セラミック）で構成された被加熱物載置皿１６に載置して使用される。
【００２４】
まず、被加熱物載置皿１６に発熱皿３０に置いた被加熱物（例えば食品）を載置し、被加熱物載置皿１６を加熱室１２の左右の側壁のレール２３，２４に配置する。次いで、所定の指示操作を行うと、マグネトロン１４が動作して高周波が発生する。発生した高周波は、導波管１８を経て回転アンテナ２０より加熱室１２の内部に給電される。
【００２５】
加熱室１２内部に給電された高周波は、発熱皿３０に吸収され、発熱皿３０そのものの温度が上昇し、食品を加熱し、食品の外周部分に焼き色や焦げ目をつけることができる。
【００２６】
また、高周波を加熱室１２の下方から供給するように加熱調理器の本体１を構成しているので、最も焼き色のつき難い食品の下面側から加熱することができ、食品全体をより均一に加熱することができる。
【００２７】
また、被加熱物の下面を焦がす必要がないときには、発熱皿３０を被加熱物載置皿１６から外す。これによって、被加熱物に効率よく高周波を照射することができ、通常の高周波加熱を行うことができる。
【符号の説明】
【００２８】
１  本体、２  把手、３  縦開き扉、４  制御手段、５  操作部、６  表示部、７  スタートキー、８  取り消しキー、１２  加熱室、１３  電気室、１４  マグネトロン、１５  高圧電力発生手段、１６  被加熱物載置皿、１７  赤外線センサー、１８  導波管、１９  アンテナモーター、２０  回転アンテナ、２１  上ヒーター、２２  下ヒーター、２３，２４  レール、２５  断熱材、２６  仕切り板、３０  発熱皿（高周波加熱調理用発熱皿）、３１  谷部、３２  穴、３３  脚部、３４，３５  リブ、ｇ  空隙。
【図１】
2015114061.tif 000003
【図２】
2015114061.tif 000004
【図３】
2015114061.tif 000005
【図４】
2015114061.tif 000006
【図５】
2015114061.tif 000007